(57)【要約】【課題】部品点数を少なくすることができ、所定の張力で装着する際に利用者に煩わしさを感じさせないセンサ装着用バンド及び生体情報機器を提供する。【解決手段】伸縮性を有し、利用者の生体情報を検出するセンサ３０を腕部Ｔまたは指部Ｓとの間に挟み込む態様で巻き付けられ、この巻き付けられた張力によってセンサ３０を腕部Ｔまたは指部Ｓに押圧するセンサ装着用バンドにおいて、腕部Ｔまたは指部Ｓの周方向の長さを測定可能な測定部２００と、この測定部２００で測定した周方向の長さに基づいて、センサ３０が生体情報を検出可能な圧力で押圧されるようにバンド固定位置を指示する固定指示部２１０とを備えた。【選択図】図４
2009100897.tif 000002
【特許請求の範囲】
【請求項１】
伸縮性を有し、利用者の生体情報を検出するセンサを腕部または指部との間に挟み込む
態様で巻き付けられ、この巻き付けられた張力によって前記センサを前記腕部または指部
に押圧するセンサ装着用バンドにおいて、
前記腕部または指部の周方向の長さを測定可能な測定部と、この測定部で測定した周方
向の長さに基づいて、前記センサが生体情報を検出可能な圧力で押圧されるようにバンド
固定位置を指示する固定指示部とを備えたことを特徴とするセンサ装着用バンド。
【請求項２】
前記測定部は、巻き付け方向に区分けされた２つ以上の測定領域を有し、前記固定指示
部は、巻き付け方向に区分けされ、前記測定領域と対応する固定指示領域を有することを
特徴とする請求項１に記載のセンサ装着用バンド。
【請求項３】
前記測定領域及び前記固定指示領域は、それぞれ対応する領域が同色に表示されている
ことを特徴とする請求項２に記載のセンサ装着用バンド。
【請求項４】
前記測定領域及び前記固定指示領域は、それぞれ対応する領域に同じ文字または図形が
表示されていることを特徴とする請求項２に記載のセンサ装着用バンド。
【請求項５】
前記測定領域及び前記固定指示領域のそれぞれの境界線をバンドに縫いつけた糸によっ
て表示したことを特徴とする請求項２から請求項４のいずれか１つに記載のセンサ装着用
バンド。
【請求項６】
前記固定指示領域には、バンド固定用の面状ファスナーがそれぞれ設けられていること
を特徴とする請求項２から請求項５のいずれか１つに記載のセンサ装着用バンド。
【請求項７】
前記固定指示領域には、バンド固定用のフックがそれぞれ設けられていることを特徴と
する請求項２から請求項５のいずれか１つに記載のセンサ装着用バンド。
【請求項８】
利用者の腕部または指部から生体情報を検出するセンサと、伸縮性を有し、前記腕部ま
たは指部との間に前記センサを挟み込む態様で巻き付けられ、この巻き付けられた張力に
よって前記センサを前記腕部または指部に押圧するバンドと、前記センサの検出情報に従
って生体情報値を表示する本体部とを備えた生体情報機器において、
前記バンドは、前記腕部または指部の周方向の長さを測定可能な測定部と、この測定部
で測定した周方向の長さに基づいて、前記センサが生体情報を検出可能な圧力で押圧され
るようにバンド固定位置を指示する固定指示部とを備えたことを特徴とする生体情報機器
。
【請求項９】
前記測定部及は、巻き付け方向に区分けされた２つ以上の測定領域を有し、前記固定指
示部は、巻き付け方向に区分けされ、前記測定領域と対応する固定指示領域を有し、前記
測定領域及び前記固定指示領域は、それぞれ対応する領域が同色に表示されていることを
特徴とする請求項８に記載の生体情報機器。
【請求項１０】
前記バンドは、前記本体部を腕部に装着するための本体部装着用バンドを兼ねているこ
とを特徴とする請求項８または請求項９に記載の生体情報機器。
【発明の詳細な説明】
【技術分野】
【０００１】
本発明は、利用者の腕部または指部に生体情報を検出するセンサを装着可能なセンサ装
着用バンド及び生体情報機器に関する。
【背景技術】
【０００２】
従来より、利用者の腕部（リスト部）または指部に装着して利用者の脈拍を含む生体情
報を測定する生体情報機器が知られている。この生体情報機器は、生体情報を光によって
検出するセンサと、このセンサを検出部位に固定するために、利用者の腕部または指部に
巻き付けられるセンサ装着用バンドと、センサからの検出情報を表示するための本体部と
を備えている。
上述したセンサは、より正確な精度で生体情報を検出するために、上述した検出部位に
適正な圧力（センサが精度よく検出可能な圧力）で押圧される必要がある。この圧力は、
例えば、センサ装着用バンドを伸縮可能な素材で形成し、このバンドを装着時に腕部また
は指部の周方向に締め付けることにより、この締め付ける張力を利用して得ることができ
る。また、センサに適正な圧力を加えるためには、センサ装着用バンドに所定の張力を加
えればよいことになる。
【０００３】
この所定の張力か否かを確認する方法としては、例えば、センサ装着用バンドの表面に
２本の平行な線を設けると共に、この２本線の間隔を確認するための基準用ボタンを着脱
自在に設け、バンドの装着時に２本線の間隔が基準用ボタンの幅と同等になるまでバンド
を締め付けるものがある（例えば、特許文献１参照）。
また、他の確認方法としては、センサ装着用バンドの伸縮量に応じて伸び縮みする丸い
図形を描き、バンドに所定の張力が加えられたときに丸い図形の縦横比が等しくなる（所
定の張力以外のときは、楕円形になる）ようにしたものがある（例えば、特許文献２参照
）。
他方、適正な圧力の他の確認方法としては、腕部または指部の周方向の長さを予め測定
し、この測定した寸法に従って予め用意された複数のバンド（サポーター）の中から適正
な長さのバンドを選択し、この選択されたバンドを装着することで適正な圧力を得るもの
もある。
【特許文献１】特開平５−３２９１１７号公報
【特許文献２】特開２００６−５５５１７号公報
【発明の開示】
【発明が解決しようとする課題】
【０００４】
しかしながら、上述の特許文献１の構造では、基準用のボタンを別途設ける必要がある
ため、部品点数が多くなりコストアップになる。
また、特許文献２の構造では、基準用のボタンを別途設ける必要はないが、縦横比の判
断が人間の感覚によるものであるため、センサ装着用バンドに加える張力にばらつきが生
じやすい。また、上述の通り人間の感覚によるため、装着する際に試行錯誤を繰り返すこ
とで、利用者に煩わしさを感じさせるおそれがある。
他方、複数のバンドを予め用意する方法では、１つのバンドで適正な圧力を得るものに
比べてコストアップになる。また、測定用のメジャーを別途用意する点においても、部品
点数が多くなり、コストが嵩むことになる。
【０００５】
そこで、本発明の目的は、上述した従来の技術が有する課題を解消し、部品点数を少な
くすることができ、所定の張力で装着する際に利用者に煩わしさを感じさせないセンサ装
着用バンド及び生体情報機器を提供することにある。
【課題を解決するための手段】
【０００６】
上記課題を解決するため、本発明は、伸縮性を有し、利用者の生体情報を検出するセン
サを腕部または指部との間に挟み込む態様で巻き付けられ、この巻き付けられた張力によ
って前記センサを前記腕部または指部に押圧するセンサ装着用バンドにおいて、前記腕部
または指部の周方向の長さを測定可能な測定部と、この測定部で測定した周方向の長さに
基づいて、前記センサが生体情報を検出可能な圧力で押圧されるようにバンド固定位置を
指示する固定指示部とを備えたことを特徴とする。
【０００７】
この場合において、前記測定部は、巻き付け方向に区分けされた２つ以上の測定領域を
有し、前記固定指示部は、巻き付け方向に区分けされ、前記測定領域と対応する固定指示
領域を有するようにしてもよい。
【０００８】
また、センサ装着用バンドであって、前記測定領域及び前記固定指示領域は、それぞれ
対応する領域が同色に表示されていてもよい。
さらに、センサ装着用バンドであって、前記測定領域及び前記固定指示領域は、それぞ
れ対応する領域に同じ文字または図形が表示されていてもよい。
さらにまた、センサ装着用バンドであって、前記測定領域及び前記固定指示領域のそれ
ぞれの境界線をバンドに縫いつけた糸によって表示することもできる。
【０００９】
また、センサ装着用バンドであって、前記固定指示領域には、バンド固定用の面状ファ
スナーがそれぞれ設けられていてもよい。
さらに、センサ装着用バンドであって、前記固定指示領域には、バンド固定用のフック
がそれぞれ設けられていてもよい。
【００１０】
他方、利用者の腕部または指部から生体情報を検出するセンサと、伸縮性を有し、前記
腕部または指部との間に前記センサを挟み込む態様で巻き付けられ、この巻き付けられた
張力によって前記センサを前記腕部または指部に押圧するバンドと、前記センサの検出情
報に従って生体情報値を表示する本体部とを備えた生体情報機器において、前記バンドは
、前記腕部または指部の周方向の長さを測定可能な測定部と、この測定部で測定した周方
向の長さに基づいて、前記センサが生体情報を検出可能な圧力で押圧されるようにバンド
固定位置を指示する固定指示部とを備えたことを特徴とする。
【００１１】
また、生体情報機器であって、前記測定部及は、巻き付け方向に区分けされた２つ以上
の測定領域を有し、前記固定指示部は、巻き付け方向に区分けされ、前記測定領域と対応
する固定指示領域を有し、前記測定領域及び前記固定指示領域は、それぞれ対応する領域
が同色に表示されていてもよい。
【００１２】
さらに、生体情報機器であって、前記バンドは、前記本体部を腕部に装着するための本
体部装着用バンドを兼ねていてもよい。
【発明の効果】
【００１３】
本発明では、センサ装着用バンドは、前記腕部または指部の周方向の長さを測定可能な
測定部と、この測定部で測定した周方向の長さに基づいて、前記センサが生体情報を検出
可能な圧力で押圧されるようにバンド固定位置を指示する固定指示部とを備えているので
、このセンサ装着用バンドの適正な張力を管理するために、センサ装着用バンドの伸びを
確認するための基準用の部品を別途設ける必要がない。そのため、部品点数をより少なく
してコストダウンを図ることができる。また、測定部で測定した後にバンドを固定するこ
とにより、バンドを固定するときに人間の感覚に依るところが少なく、利用者に煩わしさ
を感じさせない。また、人間の感覚に依らないため、センサの押圧力をより精度良く設定
することができる。
【発明を実施するための最良の形態】
【００１４】
以下、本発明の実施の形態に係るセンサ装着用バンド４０および生体情報機器１につい
て説明する。なお、本実施の形態で示す生体情報機器１とは、生体情報として脈拍を用い
、生体情報値として脈拍数を検出するものである。この生体情報機器１は、例えば、利用
者が運動（ランニングなど）をしているときであっても、生体情報（本実施例では脈拍数
とする）を確認することができるものである。
【００１５】
図１は、本実施の形態に係る生体情報機器１を利用者の腕部Ｔ（リスト部）に装着した
状態を示す概要図である。
生体情報機器１は、腕時計構造を有する本体部１０と、この本体部１０に接続されるケ
ーブル２０と、このケーブル２０の先端に設けられた脈拍センサ３０と、この脈拍センサ
３０を利用者の腕部Ｔに挟み込む態様でその腕部Ｔに装着するためのセンサ装着用バンド
４０とを備えている。このセンサ装着用バンド４０は、図１に示すように、本体部１０の
付近であって、腕部Ｔの延在方向に並べて装着されている。
【００１６】
本体部１０には、腕時計における１２時方向から腕に巻きついてその６時方向で固定さ
れるリストバンド１２が設けられている。このリストバンド１２によって、本体部１０は
、腕に着脱自在に装着されている。また、本体部１０の６時の側には、コネクタ部７０が
設けられており、このコネクタ部７０にケーブル２０の一端側に設けられたコネクタピー
ス８０が着脱自在に取り付けられるようになっている。
【００１７】
図２は、本体部１０を単体で示す平面図であって、リストバンド１２やケーブル２０な
どを取り外した状態を示している。
本体部１０は、樹脂製の時計ケース１１（本体ケース）を備えている。時計ケース１１
の表面側には、現在時刻や日付に加えて、走行時や歩行時のピッチ、及び脈拍数などの脈
波情報などを表示するＥＬバックライト付きの液晶表示装置１３（表示装置）が設けられ
ている。液晶表示装置１３には、表示面の左上側に位置する第１のセグメント表示領域１
３１、右上側に位置する第２のセグメント表示領域１３２、右下側に位置する第３のセグ
メント表示領域１３３、及び左下側に位置するドット表示領域１３４が構成されており、
ドット表示領域１３４では、各種の情報をグラフィック表示可能である。
時計ケース１１の内部には、ピッチを求めるための体動センサ（図示せず）が内蔵され
ている。この体動センサとしては、加速度センサなどを用いることができる。
【００１８】
また、時計ケース１１の内部には、各種の制御やデータ処理を行う制御部５が設けられ
ている。この制御部５は、上述した体動センサによる検出結果（体動信号）および脈拍セ
ンサ３０による検出結果（脈波信号）に基づいて、測定対象者である利用者の脈拍数を解
析し、液晶表示装置１３で表示する。この場合において、制御部５には、計時回路も構成
されているため、通常時刻なども液晶表示装置１３に表示可能となっている。
【００１９】
時計ケース１１の外周部には、入力装置を構成し、時刻合わせや表示モードの切り換え
などの外部操作を行うためのボタンスイッチ１１１〜１１５が設けられている。また、時
計ケースの表面には、同じく、入力装置を構成する、大きめのボタンスイッチ１１６、１
１７が構成されている。
また、生体情報機器１の電源は、時計ケース１１に内蔵されているボタン形の小型の電
池５９であり、ケーブル２０は、電池５９から脈拍センサ３０に電力を供給するとともに
、脈拍センサ３０の検出結果を時計ケース１１の制御部５に入力している。
【００２０】
図３は、脈拍センサ３０の断面図である。
脈拍センサ３０は、そのケース体の内部に回路基板３５が配置されており、この回路基
板３５には、ＬＥＤ３１、フォトトランジスタ３２、その他の電子部品が実装されている
。この脈拍センサ３０では、センサ枠３６の上面部分（実質的な脈波信号検出部）にガラ
ス板からなる透光板３４によって光透過窓が形成されている。そして、この透光板３４に
対して、ＬＥＤ３１及びフォトトランジスタ３２は、それぞれ発光面及び受光面を透光板
３４の方に向けている。このため、透光板３４の外側表面４４１（指表面との接触面／セ
ンサ面）に指表面を密着させると、ＬＥＤ３１は、指表面の側に向けて光を発する。これ
とともに、フォトトランジスタ３２は、ＬＥＤ３１が発した光のうち利用者の腕部から反
射してくる光を受光可能である。
【００２１】
本実施形態では、ＬＥＤ３１として、ＩｎＧａＮ系（インジウム−ガリウム−窒素系）
の青色ＬＥＤを用いてあり、その発光スペクトルは、４５０ｎｍに発光ピークを有してい
る。さらにＬＥＤ３１の発光波長領域は、３５０ｎｍから６００ｎｍまでの範囲にある。
かかる発光特性を有するＬＥＤ３１に対応させて、本例では、フォトトランジスタ３２と
して、ＧａＡｓＰ系（ガリウム−砒素−リン系）のフォトトランジスタを用いている。フ
ォトトランジスタ３２自身の受光波長領域は、主要感度領域が３００ｎｍから６００ｎｍ
までの範囲にあって、３００ｎｍ以下にも感度領域がある。
【００２２】
このように構成した脈拍センサ３０を、センサ装着用バンド４０によって腕部Ｔに装着
し、この状態で、ＬＥＤ３１から指に向けて光を照射すると、この光が血管に届いて血液
中のヘモグロビンによって光の一部が吸収され、一部が反射する。指（血管）から反射し
てきた光は、フォトトランジスタ３２によって受光され、その受光量変化が血量変化（血
液の脈波）に対応する。すなわち、血量が多いときには、反射光が弱くなる一方、血量が
少なくなると、反射光が強くなるので、反射光強度の変化を検出すれば、脈拍数を含む各
種生体情報などを計測できる。
【００２３】
図４（ａ）は、センサ装着用バンド４０を単体で示す正面図、図４（ｂ）は、（ａ）の
側面図である。また、図５は、センサ装着用バンド４０を腕部に巻き付けた状態の斜視図
、図６は、図５のＶＩ−ＶＩ線で切断した断面図であって、腕部Ｔのサイズを測定してい
る状態を示している。
センサ装着用バンド４０は、腕部Ｔの周方向に長手方向を向けて巻き付けられるバンド
部４１と、このバンド部４１を締め付ける際にバンド部４１が引っ掛けられるバックル部
４２と、このバックル部４２をバンド部４１に取り付けるための保持部４３とを備えてい
る。なお、図４（ａ）において、バンド部４１の裏面４１Ｘが利用者の腕部Ｔと接する面
であり、表面４１Ｙが外側に向くように取り付けられる。
【００２４】
バックル部４２は、図４（ａ）に示すように、棒状の部材を折り曲げて略矩形状の輪を
形成したものである。この輪の幅方向の長さは、バンド部４１の幅方向の長さよりも大き
くなっており、この輪の中にバンド部４１を挿通できるようになっている。
保持部４３は、帯状部材で輪を形成したものであり、この保持部４３の基端部４３ａが
バンド部４１に固定されている。また、この保持部４３は、前述した輪の中にバックル部
４２の１辺を巻くようにして保持している。これにより、バックル部４２が保持部４３を
介してバンド部４１に取り付けられている。
【００２５】
バンド部４１は、伸縮性を有している。すなわち、このバンド部４１が腕部Ｔに巻き付
けられて締め付けられる際に、バンド部４１はその長手方向に伸びるようになる。また、
このバンド部４１の長手方向の寸法Ｌは、あらゆる利用者の腕部Ｔの太さまたは周方向の
長さを十分に考慮して、十分に長く形成してある。一方、バンド部４１の幅方向（長手方
向と直交する方向）の長さＬ２は、脈拍センサ３０の長さＬ１（図３参照）よりも十分に
長くなるように形成されている。すなわち、脈拍センサ３０が装着されるときに、このセ
ンサ装着用バンド４０によって脈拍センサ３０の全体が覆われるようになっている。これ
により、脈拍センサ３０は、センサ装着用バンド４０の外部から遮光された状態で利用者
の腕部Ｔに装着されるようになる。
また、このバンド部４１には、上述した保持部４３がバンド部４１に固定されている基
端部４３ａからバンド部４１をその長手方向の一方の先端に向けて延ばす態様で外光遮断
部４１ａが形成されている。
【００２６】
このバンド部４１の表面４１Ｙ側には、外光遮断部４１ａと反対側の先端部４１ｂにマ
ジックテープ（面状ファスナー）（登録商標）の爪部４４が設けられている。一方、この
爪部４４の終端から基端部４３ａまでの間には、この爪部４４が取り付けられるマジック
テープ（登録商標）の生地部４５が設けられている。この爪部４４と生地部４５は、既知
の通り、人間の力で自由に固定したり剥がしたりすることができるものである。
【００２７】
このバンド部４１を腕部Ｔに巻き付け方としては、図５に示すように、バンド部４１を
腕部Ｔに巻き付けるときにバンド部４１の先端部４１ｂをバックル部４２の輪の中に挿通
させ、この先端部４１ｂを巻き付け方向と反対側の方向に折り返して引っ張り、上述した
爪部４４を生地部４５に取り付ける。このようにバンド部４１を巻き付け方向と反対側に
引っ張ることにより、バンド部４１に張力を発生させることができる。一方、脈拍センサ
３０には、このバンド部４１に発生した張力によって、腕部Ｔに押圧する押圧力Ｆが作用
することになる。
【００２８】
一方、この脈拍センサ３０は、精度良く脈拍数を検出可能な圧力で腕部Ｔに押圧される
必要がある。この押圧力Ｆが弱すぎても強すぎても、脈拍センサ３０の検出する脈拍数に
誤差が生じてしまうことになる。そのためこのバンド部４１には、脈拍センサ３０に適正
な押圧力Ｆを付与するために、図４（ａ）に示すように、測定部２００と、固定指示部２
１０とが設けられている。
【００２９】
測定部２００は、図４（ａ）に示すように、３つの測定領域２０１（図４（ａ）の右側
から、符号２０１ａ、２０１ｂ、２０１ｃで示す）で構成されている。これらの測定領域
２０１ａ、２０１ｂ、２０１ｃは、バンド部４１の長手方向（バンド部４１の巻き付け方
向）に所定の長さ毎に区分けされており、それぞれの領域が異なる色によって表示されて
いる。例えば、測定領域２０１ａが緑色（Ａ−Ｂ間）、測定領域２０１ｂが青色（Ｂ−Ｃ
間）、測定領域２０１ｃが赤色（Ｃ−Ｄ間）に着色表示されている。
【００３０】
これらの測定領域２０１は、図６に示すように、センサ装着用バンド４０に張力が発生
しないように腕部Ｔに巻き付けたときに（自然な状態で巻き付けたときに）、バックル部
４２といずれかの領域で接触してバンド部４１が巻き付け方向と逆方向に折り返されるこ
とになる。すなわち、腕部Ｔの周方向の長さが長い場合には、バックル部４２と測定領域
２０１ａが接触することになる。そして、段階的に腕部Ｔの周方向の長さが短くなるに従
い、測定領域２０１ｂ、２０１ｃと接触することになる。これにより、腕部Ｔの周方向の
長さが３つの領域によって３段階に測定されることになる。なお、本実施の形態では、測
定領域２０１を３段階に区分けしているが、必要によって２段階、または４段階以上に区
分けしてもよい。
【００３１】
一方、固定指示部２１０についても、図４（ａ）に示すように、３つの固定指示領域２
１１（図４（ａ）の右側から、符号２１１ａ、２１１ｂ、２１１ｃで示す）で構成されて
いる。また、これらの固定指示領域２１１ａ、２１１ｂ、２１１ｃは、バンド部４１の長
手方向（バンド部４１の巻き付け方向）に所定の長さ毎に区分けされており、それぞれの
領域が異なる色によって表示されている。例えば、固定指示領域２１１ａが緑色（ａ−ｂ
間）、固定指示領域２１１ｂが青色（ｂ−ｃ間）、固定指示領域２１１ｃが赤色（ｃ−ｄ
間）に着色表示されている。
【００３２】
これらの３段階に区分けされた固定指示領域２１１ａ、２１１ｂ、２１１ｃは、それぞ
れの測定領域２０１ａ、２０１ｂ、２０１ｃとそれぞれ対応している。詳細には、測定領
域２０１ａ（緑色）と固定指示領域２１１ａ（緑色）、測定領域２０１ｂ（青色）と固定
指示領域２１１ｂ（青色）、測定領域２０１ｃ（赤色）と固定指示領域２１１ｃ（赤色）
とがそれぞれ対応しており、例えば、腕部Ｔの周方向の長さ（サイズ）が青色の測定領域
２０１ｂであった場合には、バンド部４１を引っ張って、先端部４１ｂが青色の固定指示
領域２１１ｂに固定されるようにすることで、バンド部４１に適正な張力を発生させるこ
とができ、それに従って、脈拍センサ３０に適正な押圧力Ｆを作用させることができるよ
うになっている。すなわち、同色に表示された色の部分に対応させてバンド部４１を固定
することにより、適正な押圧力Ｆを作用させることができる。
【００３３】
これらの測定領域２０１および固定指示領域２１１は、バンド部４１の伸縮性、バンド
部４１の長手方向の長さ、バックル部４２の位置によって適宜決定されることになる。す
なわち、これらの要素を予め１通りに決定しておくことにより、脈拍センサ３０に適正な
押圧力Ｆを作用させることができる測定領域２０１、固定指示領域２１１を決定すること
ができる。
なお、バンド部４１の伸縮性の大きな材料を使用することにより、各領域の幅寸法を大
きく確保することができ、より利用者が対応する領域に合わせ易くすることができる。
【００３４】
本発明の実施の形態に係るセンサ装着用バンド４０および生体情報機器１によれば、バ
ンド部４１は、腕部Ｔの周方向の長さを測定可能な測定部２００と、この測定部で測定し
た周方向の長さに基づいて、脈拍センサ３０が精度よく脈拍数を検出可能な圧力で押圧さ
れるにバンド固定位置を指示する固定指示部２１０とを備え、測定部２００は、巻き付け
方向に区分けされた３つの測定領域２０１ａ、２０１ｂ、２０１ｃを有し、固定指示部２
１０は、巻き付け方向に区分けされ、測定領域２０１と対応する固定指示領域２１１ａ、
２１１ｂ、２１１ｃを有しているので、センサ装着用バンド４０の適正な張力を管理する
ために、センサ装着用バンド４０の伸びを確認するための基準用の部品を別途設ける必要
がない。そのため、部品点数をより少なくしてコストダウンを図ることができる。また、
測定部２００で測定した後にセンサ装着用バンド４０を固定することにより、センサ装着
用バンド４０を固定するときに人間の感覚に依るところが少なく、利用者に煩わしさを感
じさせない。また、人間の感覚に依らないため、脈拍センサ３０の押圧力をより精度良く
設定することができる。
【００３５】
また、測定部２００と固定指示部２１０を配置して、バックル部４２によって腕部Ｔの
周方向の長さを測定しているので、センサ装着用バンド４０を腕部Ｔに装着する一連の動
作の過程において腕部Ｔの周長を測定することができるので、測定を行う動作を別途行う
必要がない。また、測定用の部品を別途設ける必要がないので、測定および固定に時間が
かからない。そのため、利用者の利便性を向上させることができる。
【００３６】
さらに、測定領域２０１ａ、２０１ｂ、２０１ｃ及び固定指示領域２１１ａ、２１１ｂ
、２１１ｃは、それぞれ対応する領域が同色に表示されているので、測定部２００におい
て示される色と同色の色の固定指示領域２１１ａ（または２１１ｂ、２１１ｃ）で固定す
ることにより、利用者の感覚に頼ることなく、容易に固定箇所を把握することができる。
そのため、利用者がバンド部４１を固定する際に煩わしさを感じることがない。また、利
用者の感覚に頼ることがないので、より正確な位置で固定することができ、脈拍センサ３
０をより適正な圧力で押圧することができる。その結果、表示される脈拍数の信頼性が向
上する。
【００３７】
また、バンド部４１の先端部４１ｂには、マジックテープの爪部４４が設けられ、固定
指示領域２１１には、爪部４４が取り付けられてセンサ装着用バンド４０を固定するため
のマジックテープの生地部４５がそれぞれ設けられているので、利用者が先端部４１ｂを
固定指示領域２１１の対応する位置に合わせて押し付けるだけで容易にバンド固定位置に
装着することができる。また、利用者の力で容易にセンサ装着用バンド４０を着脱するこ
とができる。その結果、利用者がバンド部４１を固定する作業に煩わしさを感じることが
なくなる。
【００３８】
以上、本発明の実施の形態について述べたが、本発明は既述の実施形態に限定されるも
のではなく、本発明の技術思想に基づいて各種の変形および変更が可能である。
本実施の形態では、センサ装着用バンド４０を利用者の腕部Ｔに巻き付けるようにした
が、図７および図８に示すように、利用者の指部Ｓに巻き付けるようにしてもよい。この
場合、指部Ｓとは、５本の指のうち測定に適した任意の指を示す。また、脈拍センサ３０
は、腕部Ｔに装着される場合と同様に、センサ装着用バンド４０によって指部Ｓとの間に
挟まれる態様で、かつ外部から遮光されるように脈拍センサ３０の全体を覆う態様で巻き
付けられ、センサ装着用バンド４０に生じる張力によって脈拍センサ３０が指部Ｓに押圧
されるようになる。このように、脈拍センサ３０を指の根元に装着することにより、ケー
ブル２０を短くすることができ、ケーブル２０がランニング中に邪魔にならないようにす
ることができる。
【００３９】
また、本実施の形態では、図１に示すように、センサ装着用バンド４０と本体部１０と
を腕部の延在方向に並べて装着しているが、センサ装着用バンド４０に本体部１０を取り
付けて、これらを一体に構成してもよい。これによれば、本体部１０を装着するためのリ
ストバンド１２を設ける必要がなくなり、生体情報機器１の製造コストを低減させること
ができる。また、ケーブル２０をバンド部４１の内部に埋め込むことにより、ケーブル２
０の引き回しを不要とし、コストを低減させることもできる。また、利用者にケーブル２
０が嵩張ることによる違和感を与えることがない。
【００４０】
さらに、本実施の形態では、対応する測定領域２０１と固定指示領域２１１とを同色で
表示しているが、色で表示することに限定されない。例えば、対応する領域に同一のまた
は対応する文字（例えば、アルファベット文字など）または図形（例えば、丸、三角、四
角など）などである。すなわち、利用者がその対応関係を認識して固定位置を容易に把握
することができる表示を付すものであれば、同色に表示する場合と同様の効果を得ること
ができる。さらには、この文字または図形を対応する色に着色することにより、さらに利
用者が対応関係を容易に認識し得るようにしてもよい。
【００４１】
また、測定領域２０１および固定指示領域２１１のそれぞれにおいて、隣り合う領域の
境界線、具体的には、測定領域２０１ａと２０１ｂ、２０１ｂと２０１ｃ、固定指示領域
２１１ａと２１１ｂ、２１１ｂと２１１ｃのそれぞれの境界線を、バンド部４１に縫いつ
けた糸によって表示することもできる。これによれば、ランニング中の汗や、日焼け、洗
濯などによって領域を表示する色が色あせたとしても、各領域の境界が目視で不明になる
ことを防止することができる。そのため、センサ装着用バンド４０の寿命を長くすること
ができる。また、糸は自由に屈曲することができるので、センサ装着用バンド４０の伸縮
の抵抗とならない。さらに、腕部Ｔの形状にあわせて自由に変形することができるので、
装着時に利用者に違和感を与えることがない。さらに、糸を用いることにより、バンド部
４１に縫いつけることで容易に境界線を設けることができる。
【００４２】
また、本実施の形態では、バンド部４１を固定するためにマジックテープ（登録商標）
を使用しているが、利用者が容易に着脱することができるものであり、かつバンド部４１
に作用する張力に対抗してバンド部４１を固定することができるものであれば、これに限
定されるものではない。例えば、図９に示すように、バンド部４１の先端部４１ｂに係止
部材５１を設け、固定指示領域２１１ａ、２１１ｂ、２１１ｃのそれぞれに、係止部材５
１と係合可能なフック部材５２を設けていてもよい。この係止部材５１は、バンド部４１
の張力を利用してフック部材５２に係合するようになっており、固定時および取外し時に
バンド部４１を少しだけ引っ張ることにより、容易に着脱することができる構造になって
いる。
【００４３】
さらにまた、バックル部４２を用いて、バンド部４１の先端部４１ｂを巻き付け方向と
逆方向に転換させているが、バックル部４２を設けずに構成することもできる。特に、上
述した指部Ｓに装着する場合には、バックル部４２が指の間で嵩張るようになるため、バ
ックル部４２を設けずに構成することが望ましい。その構成としては、例えば、測定領域
２０１で腕部Ｔのサイズを測定後、バンド部４１を巻き付け方向に引っ張り（バックル部
４２によって巻き付け方向と逆方向に変換することなく引っ張り）、固定指示領域２１１
に合わせて固定するように構成する。この構造によっても、バンド部４１に適正な張力を
作用させることができる。
【００４４】
他方、本実施の形態では、生体情報として脈拍数を表示するように説明したが、脈拍数
に限らない。例えば、生体情報として、体温、血圧、脈波、動脈血中の酸素飽和度、体動
等が具体例として挙げられる。
【図面の簡単な説明】
【００４５】
【図１】生体情報機器を利用者の腕部Ｔに装着した状態を示す概要図である。
【図２】本体部を単体で示す平面図である。
【図３】脈拍センサの断面図である。
【図４】センサ装着用バンドを単体で示す正面図、及びその側面図である。
【図５】センサ装着用バンドを腕部に巻き付けた状態を示す斜視図である。
【図６】図５のＶＩ―ＶＩ線における断面図である。
【図７】センサ装着用バンドを指部に装着した状態を示す斜視図である。
【図８】図７の側面図である。
【図９】センサ装着バンドの固定部をフックで構成したものの斜視図である。
【符号の説明】
【００４６】
１…生体情報機器、１０…本体部、１１…時計ケース、１２…リストバンド（本体部装
着バンド）、２０…ケーブル、３０…脈拍センサ、４０…センサ装着用バンド、４１…バ
ンド部、４１Ｘ…裏面、４１Ｙ…表面、４１ａ…外光遮断部、４１ｂ…先端部、４２…バ
ックル部、４３…保持部、４３ａ…基端部、４４…爪部、４５…生地部、２００…測定部
、２０１ａ、２０１ｂ、２０１ｃ…測定領域、２１０…固定指示部、２１１ａ、２１１ｂ
、２１１ｃ…固定指示領域、Ｓ…指部、Ｔ…腕部。
【図１】
2009100897.tif 000003
【図２】
2009100897.tif 000004
【図３】
2009100897.tif 000005
【図４】
2009100897.tif 000006
【図５】
2009100897.tif 000007
【図６】
2009100897.tif 000008
【図７】
2009100897.tif 000009
【図８】
2009100897.tif 000010
【図９】
2009100897.tif 000011